(57)【要約】【課題】  動画撮影においてシャッタ速度を変更する場合であっても、必要なフレームレートを確保できるようにする。【解決手段】  フレームレートを設定するフレームレート設定手段と、ユーザ操作により任意のシャッタ速度を設定するシャッタ速度設定手段（４Ｂ）と、前記フレームレート設定手段により設定されるフレームレートに基づき、前記シャッタ速度設定手段により設定されるシャッタ速度を制御する制御手段（１）と、前記フレームレート設定手段により設定されるフレームレート、及び前記制御手段の制御により設定されるシャッタ速度で動画撮影を行う。【選択図】  図１
2016063461.tif 000002
【特許請求の範囲】
【請求項１】
フレームレートを設定するフレームレート設定手段と、
ユーザ操作により任意のシャッタ速度を設定するシャッタ速度設定手段と、
前記フレームレート設定手段により設定されるフレームレートに基づき、前記シャッタ速度設定手段により設定されるシャッタ速度を制御する制御手段と、
前記フレームレート設定手段により設定されるフレームレート、及び前記制御手段の制御により設定されるシャッタ速度で動画撮影を行う撮影手段と、
を備えることを特徴とする撮影装置。
【請求項２】
前記制御手段は、前記フレームレート設定手段により設定されるフレームレートに基づいて、前記シャッタ速度設定手段により設定可能なシャッタ速度の範囲を制御する、
ことを特徴とする請求項１に記載の撮影装置。
【請求項３】
前記制御手段は、前記フレームレート設定手段により設定されるフレームレートによる動画撮影が確保できるシャッタ速度の範囲に、前記シャッタ速度設定手段により設定可能なシャッタ速度の範囲を制限する、
ことを特徴とする請求項２に記載の撮影装置。
【請求項４】
前記フレームレート設定手段によるフレームレートの設定と、前記シャッタ速度設定手段によるシャッタ速度の設定とを任意の順番で行うことを可能にした、
ことを特徴とする請求項１乃至３のいずれかに記載の撮影装置。
【請求項５】
前記制御手段は、前記フレームレート設定手段によりフレームレートが設定されている状態で、前記シャッタ速度設定手段によりシャッタ速度を設定する場合に、その設定時において設定可能なシャッタ速度の範囲をユーザが認識可能に設定を制御する、
ことを特徴とする請求項２又は３に記載の撮影装置。
【請求項６】
前記制御手段により制御される前記シャッタ速度設定手段により設定可能なシャッタ速度の範囲を表示する表示手段を、更に備える、
ことを特徴とする請求項２、３又は５に記載の撮影装置。
【請求項７】
前記フレームレート設定手段は、ユーザ操作により任意のフレームレートを設定可能である、
ことを特徴とする請求項１乃至６のいずれかに記載の撮影装置。
【請求項８】
前記制御手段は、前記シャッタ速度設定手段によりシャッタ速度が設定されている状態で、前記フレームレート設定手段によりフレームレートが設定された場合に、その設定されたフレームレートに基づいて、前記シャッタ速度設定手段により設定されたシャッタ速度を、ユーザ操作によらず変更する制御を行う、
ことを特徴とする請求項１乃至７のいずれか一項に記載の撮影装置。
【請求項９】
前記制御手段は、前記フレームレート設定手段により設定されたフレームレートによる動画撮影が確保できるシャッタ速度に、前記シャッタ速度設定手段により設定されたシャッタ速度を、ユーザ操作によらず変更する制御を行う、
ことを特徴とする請求項８に記載の撮影装置。
【請求項１０】
前記制御手段による制御により設定されたシャッタ速度に基づき、他の撮影パラメータの設定を制御することで、適切な露出調整を行う露出調整手段を、更に備える、
ことを特徴とする請求項１乃至９のいずれか一項に記載の撮影装置。
【請求項１１】
前記撮影手段は、前記露出調整手段により適切な露出調整が行えない場合であっても、動画撮影を行う、
ことを特徴とする請求項１０に記載の撮影装置。
【請求項１２】
フレームレートを設定するフレームレート設定処理手段と、ユーザ操作によるシャッタ速度の設定を可能とするシャッタ速度設定手段と、を備える撮影装置における撮影制御方法であって、
前記フレームレート設定手段により設定されたフレームレートに基づき、前記シャッタ速度設定手段により設定されるシャッタ速度を制御する制御処理と、
前記フレームレート設定手段により設定されるフレームレート、及び前記制御処理の制御により設定されるシャッタ速度で動画撮影を行う撮影処理と、
を含むことを特徴とする撮影制御方法。
【請求項１３】
フレームレートを設定するフレームレート設定処理手段と、ユーザ操作によるシャッタ速度の設定を可能とするシャッタ速度設定手段と、を備える撮影装置を制御するコンピュータに、
前記フレームレート設定手段により設定されたフレームレートに基づき、前記シャッタ速度設定手段により設定されるシャッタ速度を制御する制御機能、
前記フレームレート設定手段により設定されるフレームレート、及び前記制御機能の制御により設定されるシャッタ速度で動画撮影を行う撮影機能、
を実現させることを特徴とするプログラム。
【発明の詳細な説明】
【技術分野】
【０００１】
本発明は、撮影装置、撮影制御方法及びプログラムに関する。
【背景技術】
【０００２】
従来より、ユーザの目的や用途に応じて、シャッタ速度を手動により設定することができる動画撮影装置が知られている。動画撮影においては、１フレームの撮影中にシャッタを開閉する必要があるので、露光期間はフレーム間隔よりも短く設定する必要がある。すなわち、シャッタ速度はフレームレートの逆数より高速である必要がある。しかしながら、シャッタ速度とフレームレートとを個別に設定する場合などでは、シャッタ速度をフレームレートの逆数より低速に設定することが可能となっている場合もあり、その場合、適切な動画撮影ができないことが起きてしまうという問題があった。そのため、特許文献１のように、設定されたシャッタ速度に応じてフレームレートの設定を制御する技術が開示されている。
【先行技術文献】
【特許文献】
【０００３】
【特許文献１】特開２００８−３０１２８６公報
【発明の概要】
【発明が解決しようとする課題】
【０００４】
しかしながら、例えば、２４０ｆｐｓといった高いフレームレートによる動画撮影が必要となる場面などでは、必要なフレームレートを確保できないという不都合が生じてしまう。
【０００５】
本発明の課題は、動画撮影においてシャッタ速度を変更する場合であっても、必要なフレームレートを確保できるようにすることである。
【課題を解決するための手段】
【０００６】
上述した課題を解決するために本発明の撮影装置は、
フレームレートを設定するフレームレート設定手段と、
ユーザ操作により任意のシャッタ速度を設定するシャッタ速度設定手段と、
前記フレームレート設定手段により設定されるフレームレートに基づき、前記シャッタ速度設定手段により設定されるシャッタ速度を制御する制御手段と、
前記フレームレート設定手段により設定されるフレームレート、及び前記制御手段の制御により設定されるシャッタ速度で動画撮影を行う撮影手段と、
を備えることを特徴とする。
【発明の効果】
【０００７】
本発明によれば、動画撮影においてシャッタ速度を変更する場合であっても、必要なフレームレートを確保できるようにすることである。
【図面の簡単な説明】
【０００８】
【図１】撮影装置として適用したデジタルカメラの基本的な構成要素を示したブロック図。
【図２】動画撮影におけるシャッタ速度の設定変更を可能とする操作画面を例示する模式図。
【図３】動画撮影におけるライブビュー画面を例示する模式図。
【図４】動画撮影におけるライブビュー画面を例示する模式図。
【図５】動画撮影において、適切な露出調整を行うために使用されるプログラム線図を例示する模式図。
【図６】撮影待機状態への遷移で実行が開始されるフローチャート。
【図７】撮影条件設定変更処理（図６のステップＡ４）を詳述するためのフローチャート。
【発明を実施するための形態】
【０００９】
以下、本発明の実施の形態について、図１〜図７を参照して詳細に説明する。
本実施形態は、撮影装置としてデジタルカメラに適用した場合を例示したもので、図１は、このデジタルカメラの基本的な構成要素を示したブロック図である。
このデジタルカメラは、各種の機能を備え、動画撮影及び静止画撮影が可能となっている。すなわち、被写体を高精細に撮像可能な撮像機能と、撮像された画像を動画又は静止画として記録保存する撮影機能と、記録保存されている撮影済み画像（保存画像）を任意に読み出して再生する画像再生機能などの基本的な機能のほか、特に、本実施形態においては、動画撮影において、２４０ｆｐｓ（ｆｒａｍｅ  ｐｅｒ  ｓｅｃｏｎｄ）といった高いフレームレートにより撮影する機能を備えている。
【００１０】
制御部１は、電源部（二次電池）２からの電力供給によって動作し、記憶部３内に格納されている各種のプログラムに応じてこのデジタルカメラの全体動作を制御するもので、この制御部１には図示しないＣＰＵ（中央演算処理装置）やメモリなどが設けられている。
【００１１】
記憶部３は、例えば、ＲＯＭ、フラッシュメモリなどを有する構成で、後述する図６及び図７に示した動作手順に応じて本実施形態を実現するためのプログラム、各種のアプリケーションや後述する図５に示したプログラム線図などが格納されているプログラムメモリ３Ａ、フラグなどを一時記憶するワークメモリ３Ｂ、動画画像、静止画画像などを記憶する画像メモリ３Ｃなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１２】
操作部４は、押しボタン式の各種のキーを備えている。例えば、撮影モードと撮影済み画像（保存画像）を再生する再生モードとを切り替えたりするモード変更ボタン、動画撮影の開始および終了を指示する録画ボタン、静止画の撮影の実行を指示するシャッタボタンに加え、動画撮影のフレームレート（動画画質に含まれる）の設定を変更するフレームレート設定ボタン４Ａやシャッタ速度の設定を変更するシャッタ速度設定ボタン４Ｂなどの撮影条件を設定する設定ボタンなどを備えている。制御部１は、この操作部４からの入力操作信号に応じた処理として、例えば、モード変更処理や撮影条件（フレームレート、シャッタ速度、等）の設定処理などを実行する。なお、本実施形態においては、フレームレートの設定変更、及びシャッタ速度の設定変更は、各種撮影条件の設定を変更する設定メニューから選択され、フレームレート設定ボタン４Ａ、及びシャッタ速度設定ボタン４Ｂは、この設定メニューからフレームレートの設定変更、及びシャッタ速度の設定変更を選択する操作として実現しているが、各々を独立したボタンとしたり、各々を異なるメニューから選択するようにしたり、実現方法は任意である。また、動画の撮影条件として動画画質を選択することで、フレームレートの設定と画像サイズの設定が合わせて変更できるようにしているが、フレームレートの設定変更が独立して行えるようにしてもよい。
【００１３】
表示部５は、高精細な液晶や有機ＥＬ（ＥｌｅｃｔｒｏーＬｕｍｉｎｅｓｃｅｎｃｅ）からなる表示画面で、撮像された画像（ライブビュー画像）をリアルタイムに表示するモニタ画面（ライブビュー画面）となったり、撮影済み画像を再生する再生画面となったりする。
【００１４】
撮像部６は、被写体を高精細に撮影可能なカメラ部を構成するもので、ズーム調整・焦点調整・自動露出調整（ＡＥ）・自動焦点調整（ＡＦ）機能などを有し、制御部１からの制御信号に応じて、図示省略のズームレンズ、フォーカスレンズ、絞り・シャッタを駆動することによりズーム調整、焦点調整、自動露出調整（ＡＥ）、撮影開始／終了を制御するようにしている。撮像部６においてズームレンズ、フォーカスレンズなどの光学レンズ系からの被写体像が撮像素子に結像されると、光電変換されて読み出された画像信号（アナログ値の信号）は、デジタル値のデータに変換されてフレーム画像として逐次出力される。表示部６では逐次出力されるフレーム画像を画面サイズに変換してライブビュー画像としてリアルタイムに表示する。そして、操作部４による録画ボタンによる動画撮影開始指示操作或いは、シャッタボタンによる静止画撮影の実行指示操作に従い、操作のタイミングで出力されたフレーム画像を取得して、ホワイトバランスやシャープネスなどの処理を行い、圧縮符号化処理が行われた後、記憶部３（例えば、ＳＤカード）の画像メモリ３Ｃに記録保存される。本実施形態においては、高フレームレートによる動画撮影を可能としているが、周知の技術により実現可能であるため、ここでは詳細な説明は省略する。
【００１５】
図２は、動画撮影における、ユーザ操作によりシャッタ速度の設定変更を可能とする操作画面を例示する模式図であり、シャッタ速度設定ボタン４Ｂからの入力操作により、動画撮影のシャッタ速度の設定変更が選択された際に表示される操作画面となっている。この操作画面では、現在設定されているシャッタ速度と設定可能なシャッタ速度の範囲が表示されている。本実施形態で設定可能なシャッタ速度は、１／６０ｓｅｃ、１／１２５ｓｅｃ、１／２５０ｓｅｃといった、通常使用されている数値で設定可能となっている。現在設定されているシャッタ速度は数値（１／２５０）で表示され、設定可能なシャッタ速度の範囲は、右側の円の周縁部に配置されている１２の指標で表示される。１２の指標の各々がシャッタ速度を示し、時計回り方向ほど高速のシャッタ速度となっている。そして、これらの指標の色を変えることで設定可能な範囲を示している。ここでは、「黒」で現在設定されているシャッタ速度（１／２５０ｓｅｃ）を示し、「白」で現在設定されているシャッタ速度以外の設定可能な範囲の高速なシャッタ速度を示し、「灰色」で設定できない１／２５０ｓｅｃより低速のシャッタ速度を示している。
【００１６】
図３、図４は、動画撮影におけるライブビュー画面を例示する模式図であって、図３では、画面右上に現在設定されているフレームレートとして２４０ｆｐｓが、左下に現在設定されているシャッタ速度として１／２５０ｓｅｃが表示されている。図４は、図３の状態からフレームレートの設定がユーザ操作により４８０ｆｐｓに変更された場合を示し、この場合、シャッタ速度の設定が４８０の逆数よりも高速の１／５００ｓｅｃに自動的に変更されたことが表示されている。
【００１７】
図５は、動画撮影において、適切な露出調整を行うために使用されるプログラム線図を例示する模式図であり、フレームレートが２４０ｆｐｓに設定されている場合の例を示している。プログラム線図は、フレームレート毎に用意されており、プログラムメモリ３Ａに記憶されている。斜め方向の軸がＩＳＯ１００換算のライトバリュー（ＬＶ値）を示し、横軸がシャッタ速度（ｓｅｃ）、縦軸が絞り（Ｆ値）と感度（ＩＳＯ）を示している。
シャッタ速度は、フレームレートの設定が２４０ｆｐｓであるため、２４０の逆数よりも高速の１／２５０ｓｅｃ以下で設定或いは自動調整される。絞りは最小絞りＦ８から開放のＦ２．８までの間で設定或いは自動調整される。感度は、ＩＳＯ１００を基準（＋０）としたゲイン係数で示し、上限のＩＳＯ３２００が＋３２となっており、この範囲内で自動調整される。
上側に位置する「Ｌ」字型の線は、設定されているシャッタ速度を優先するシャッタ速度優先モード（Ｓモード）において、ライトバリューに応じてどのようにシャッタ速度と感度を変化させるかを示すものであり、下側に位置する「−」字型の線は、設定されている絞りを優先する絞り優先モード（Ａモード）において、ライトバリューに応じてどのようにシャッタ速度と絞りとを変化させるかを示すものである。
Ｓモードにおいては、例えば、ユーザがシャッタ速度を１／２５０ｓｅｃに設定すると、ライトバリューが１１以下の範囲では、シャッタ速度を１／２５０ｓｅｃに固定した状態で、ライトバリューの変化に応じて感度が自動設定される。しかしながら、設定可能な感度の下限が＋０であるため、ライトバリューが１１を超える範囲では、感度を＋０に固定した状態でシャッタ速度を変化させている。
つまり、「Ｓモードで可変」と矢印で示すように、ユーザによるシャッタ速度の設定に応じて「Ｌ」字型の線の内の垂直な部分の位置が左右に変化する。
また、Ａモードにおいては、例えば、ユーザが絞りをＦ５．０に設定すると、ライトバリューが１３以上の範囲では、絞りをＦ５．０に固定した状態で、ライトバリューの変化に応じてシャッタ速度が自動設定される。しかしながら、ここでは、フレームレート２４０ｆｐｓに応じて設定できるシャッタ速度の下限が１／２５０ｓｅｃであるため、ライトバリューが１３を下回る範囲では、シャッタ速度と絞りを固定した状態で感度を変化させることになる。
つまり、「Ａモードで可変」と矢印で示すように、ユーザによる絞りの設定に応じて「一」字型の水平な部分の位置が上下に変化する。
フレームレートが２４０ｆｐｓに設定されている場合には、シャッタ速度が下限（１／２５０ｓｅｃ）、絞りが開放（Ｆ２．８）、感度が上限（ＩＳＯ３２００）となるライトバリューが６までの範囲が適切な露出調整が可能となっている。本実施形態では、このライトバリューより低い値であるため適切な露出が得られない場合であっても、動画撮影を禁止せず、撮影を実行するようにしている。
Ｓモードでは、フレームレートの設定に応じてユーザが手動で設定できるシャッタ速度の範囲（「Ｓモードで可変」と矢印で示す範囲）が変化し、Ａモードでは、フレームレートの設定に応じて自動で設定されるシャッタ速度の範囲（「Ｓモードで可変」と矢印で示す範囲）が変化する。
上記の例の他に、例えば、フレームレートが１２０ｆｐｓの場合には、シャッタ速度の範囲が１／１２５以下となり、フレームレートが１０００ｆｐｓの場合には、シャッタ速度のスピードの範囲が１／２０００以下となる。
【００１８】
次に、本実施形態におけるデジタルカメラの動作概念を図６及び図７に示すフローチャートを参照して説明する。これらのフローチャートに記述されている各機能は、読み取り可能なプログラムコードの形態で格納されており、このプログラムコードにしたがった動作が、逐次制御部１の制御の元に実行される。また、ネットワークなどの伝送媒体を介して伝送されてきた上述のプログラムコードに従った動作を同様に、逐次制御部１の制御の元に実行することもできる。なお、図６は、デジタルカメラの全体動作のうち、本実施形態の特徴部分である動画撮影制御処理の動作概要を示したフローチャートであり、この図６のフローチャートから抜けた際には、全体動作のメインのフローチャート（図示省略）に戻る。なお、図６では、シャッタ速度の設定を優先するＳモードが設定されているものとする。
【００１９】
図７はユーザによる撮影条件の設定変更が指示された場合に実行開始されるフローチャートであり、制御部１の制御の元に実行される。
【００２０】
まず、動画撮影時のライブビュー画像を表示している状態において、ユーザ操作として撮影条件の設定変更を指示する操作が行われた否か（図６のステップＡ１）、動画撮影の開始指示操作が行われた否か（ステップＡ２）を判別し、どちらでもない場合は（ステップＡ１でＮＯ、ステップＡ２でＮＯ）は、ズーム操作といった、その他の操作に応じた処理を行い（ステップＡ３）、ステップＡ１に戻り、処理を繰り返す。
【００２１】
撮影条件の設定変更を指示する操作が行われたと判別した場合は（ステップＡ１でＹＥＳ）、撮影条件設定変更処理を行う（ステップＡ４）。
【００２２】
撮影条件設定変更処理の説明を図７に示すフローチャートを用いて行う。撮影条件の設定変更を指示する操作が行われたと判別すると（ステップＡ１でＹＥＳ）、フレームレートの設定変更であるか否か（フレームレート設定変更ボタン４Ａが操作されたか否か）（ステップＢ１）、シャッタ速度の設定変更であるか否か（シャッタ速度設定変更ボタン４Ａが操作されたか否か）（ステップＢ２）を判別し、どちらでもない場合は（ステップＢ１でＮＯ、ステップＢ２でＮＯ）は、絞りの設定変更といった、その他の操作に応じた処理を行い（ステップＢ３）、図７のフローチャートを抜け、図６のフローチャートに戻り、ステップＡ１の処理を繰り返す。
【００２３】
フレームレートの設定変更であると判別した場合は（ステップＢ１でＹＥＳ）、図示しないユーザ操作によりフレームレートの設定変更を可能とする操作画面を表示する（ステップＢ４）。この操作画面では、動画画質を選択することで、１２０ｆｐｓ、２４０ｆｐｓ、４８０ｆｐｓといったフレームレートが画像サイズと合わせて選択できるようになっている。
【００２４】
ステップＢ４で表示した操作画面で、フレームレートが現在の設定から変更する操作が行われたと判別した場合は（ステップＢ５でＹＥＳ）、操作に応じたフレームレートに設定を変更し（ステップＢ６）、設定が変更されたフレームレートに応じて、設定可能なシャッタ速度を範囲を特定する（ステップＢ７）。例えば、フレームレートの設定が４８０ｆｐｓに変更された場合は、設定可能なシャッタ速度の範囲として４８０の逆数より高速の１／５００ｓｅｃ以下を特定する。一方、フレームレートが現在の設定から変更する操作が行われていないと判別した場合は（ステップＢ５でＮＯ）、そのまま図７のフローチャートを抜け、図６のフローチャートに戻り、ステップＡ１の処理を繰り返す。
【００２５】
次に、現在設定されているシャッタ速度を取得し（ステップＢ８）、取得したシャッタ速度が、ステップＢ７で特定したシャッタ速度の範囲外であるか否かを判別する（ステップＢ９）。そして、取得したシャッタ速度が、特定したシャッタ速度の範囲外であると判別した場合は（ステップＢ９でＹＥＳ）、シャッタ速度の設定を特定した範囲内に収まるように自動的に変更し（ステップＢ１０）図７のフローチャートを抜け、図６のフローチャートに戻り、ステップＡ１の処理を繰り返す。例えば、図３に示すように、フレームレートが２４０ｆｐｓでシャッタ速度が１／２５０ｓｅｃに設定されている状態から、図４に示すように、フレームレートの設定が４８０ｆｐｓに変更された場合は、シャッタ速度の設定を特定した範囲に収まるように、１／５００ｓｅｃに自動的に変更する処理を行う。一方、取得したシャッタ速度が、特定したシャッタ速度の範囲外でないと判別した場合は（ステップＢ９でＮＯ）は、そのまま図７のフローチャートを抜け、図６のフローチャートに戻り、ステップＡ１の処理を繰り返す。
【００２６】
フレームレートの設定変更ではなく、シャッタ速度の設定変更であると判別された場合は（ステップＢ１でＮＯ、ステップＢ２でＹＥＳ）、現在設定されているフレームレートを取得し（ステップＢ１１）、取得したフレームレートに応じて設定可能なシャッタ速度を特定し（ステップＢ１２）、特定した範囲を示す、シャッタ速度の設定変更操作画面を、図２のように表示する。ここでは、設定可能なシャッタ速度が制限されることになる。図２は、取得されたフレームレートが２４０ｆｐｓである場合であって、１／２５０ｓｅｃ以下のシャッタ速度が設定可能であることが示されている。
【００２７】
シャッタ速度が現在の設定から変更する操作が行われたと判別した場合は（ステップＢ１４でＹＥＳ）、操作に応じたシャッタ速度に設定が変更され（ステップＢ１５）、図７のフローチャートを抜け、図６のフローチャートに戻り、ステップＡ１の処理を繰り返す。一方、シャッタ速度が現在の設定から変更する操作が行われていないと判別した場合は（ステップＢ１４でＮＯ）、そのまま図７のフローチャートを抜け、図６のフローチャートに戻り、ステップＡ１の処理を繰り返す。
【００２８】
図６の説明に戻り、ステップＡ１でユーザ操作として撮影条件の設定変更を指示する操作が行われたと判別せず（ステップＡ１でＮＯ）、動画撮影の開始指示操作が行われた判別した場合（ステップＡ２でＹＥＳ）、図５で示すような設定されているフレームレートに対応するプログラム線図を、プログラムメモリ３Ａから取得する。
【００２９】
次に、撮像部６の撮像素子が受光しているライトバリューが、取得したプログラム線図で適切な露出調整が可能な値であるか否かを判別する（ステップＡ６）。図５の場合では、フレームレートが２４０ｆｐｓが設定されているため、シャッタ速度の下限１／２５０ｓｅｃであるか否かを判別する。
【００３０】
取得したプログラム線図で適切な露出調整が可能であると判別した場合は（ステップＡ６でＹＥＳ）、取得したプログラム線図に基づき、他の撮影パラメータ（絞り、感度）を調整して（ステップＡ７）、動画撮影を開始する（ステップＡ９）。一方、取得したプログラム線図で適切な露出調整が可能ではないと判別した場合は（ステップＡ６でＮＯ）、上述したように、シャッタ速度を下限（１／２５０ｓｅｃ）、絞りを開放（Ｆ２．８）、感度を上限（＋３２）に設定し（ステップＡ８）動画撮影を開始する（ステップＡ９）。
【００３１】
動画撮影を開始すると、動画撮影の終了指示操作が行われたと判別するまで（ステップＡ１０でＮＯ）、動画撮影を継続し、動画撮影の終了指示操作が行われたと判別すると（ステップＡ１０でＹＥＳ）、撮影動画像のファイル化処理を行い（ステップＡ１１）、動画撮影制御処理を終了する。なお、動画撮影制御処理を強制的に終了する操作及び処理は省略しているが、再生モードへの変更や電源オフの操作などにより、適宜、動画撮影制御処理を強制的に終了することは可能となっている。
【００３２】
以上のように、第１実施形態において制御部１は、設定されるフレームレートに基づき、シャッタ速度設定変更ボタン４Ｂによって、ユーザ操作により任意にシャッタ速度が設定される場合であっても、設定されるフレームレートを優先した動画撮影が行える。特に、フレームレートの重要度が高い高フレームレートの動画撮影には有効である。
【００３３】
また、制御部１は、設定されるフレームレートに基づいて、シャッタ速度設定変更ボタン４Ｂによって設定可能なシャッタ速度の範囲を制御するので、設定されるフレームレートを優先した動画撮影が行える。
【００３４】
また、制御部１は、設定されるフレームレートによる動画撮影が確保できるシャッタ速度の範囲に、シャッタ速度設定変更ボタン４Ｂによって設定可能なシャッタ速度の範囲を制限するので、ユーザ操作によるシャッタ速度の変更を可能としつつも、設定されるフレームレートを確実に確保することができる。
【００３５】
また、制御部１は、フレームレートの設定と、シャッタ速度設定変更ボタン４Ｂによるシャッタ速度の設定とを任意の順番で行うことを可能にしたので、ユーザはシャッタ速度の設定変更を行うタイミングに制約を受けずにシャッタ速度の設定変更を行うことができる。
【００３６】
また、制御部１は、フレームレートが設定されている状態で、シャッタ速度設定変更ボタン４Ｂによってシャッタ速度を設定する場合に、その設定時において設定可能なシャッタ速度の範囲をユーザが認識可能に設定を制御するので、ユーザは設定可能なシャッタ速度の範囲を認識することができる。
【００３７】
また、制御部１により制御される、シャッタ速度設定変更ボタン４Ｂによって設定可能なシャッタ速度の範囲を表示部５に表示するので、ユーザは設定可能なシャッタ速度の範囲を視覚により認識することができる。
【００３８】
また、フレームレート設定変更ボタン４Ａによって、ユーザ操作により任意のフレームレートを設定可能としたので、ユーザの目的や好みに応じたフレームレートを設定できる。
【００３９】
また、制御部１は、シャッタ速度設定変更ボタン４Ｂによってシャッタ速度が設定されている状態で、フレームレートが設定された場合に、その設定されたフレームレートに基づいて、設定されたシャッタ速度を、ユーザ操作によらず変更する制御を行うので、先に設定されているシャッタ速度によらず、後から設定されたフレームレートを優先するように、ユーザ操作によらず自動でシャッタ速度を変更することができる。
【００４０】
また、制御部１は、設定されたフレームレートによる動画撮影が確保できるシャッタ速度に、シャッタ速度設定変更ボタン４Ｂによって設定されたシャッタ速度を、ユーザ操作によらず変更する制御を行うので、先に設定されているシャッタ速度では、後から設定されたフレームレートによる動画撮影が確保できない場合であっても、ユーザ操作によらず、自動で設定されたフレームレートによる動画撮影が確保できるシャッタ速度に変更することができる。
【００４１】
また、制御部１は、自身の制御により設定したシャッタ速度に基づき、他の撮影パラメータの設定を制御することで、適切な露出調整を行うので、シャッタ速度を自動で制御した場合であっても適切な露出で動画撮影が行える。
【００４２】
また、制御部１は、適切な露出調整が行えない場合であっても、動画撮影を行うので、貴重な撮影機会を逃さずに確実に動画撮影が行える。
【００４３】
なお、上述の実施形態においては、動画撮影開始前に設定されたフレームレート及びシャッタ速度は、動画撮影中は変更できないようにしていたが、動画撮影中にユーザ操作により、フレームレート又はシャッタ速度の設定が変更できるようにしてもよい。
【００４４】
なお、上述の実施形態においては、Ｓモードが設定されているものとして説明したが、Ａモードが設定されていて、絞りの設定変更が行われた場合は以下のような処理となる。図５のプログラム線図を使用する場合は、絞りの設定変更に応じて、「−」字型の水平な部分の位置を設定変更された絞りに上下に変更して、プログラム線図に基づき、下限を１／２５０ｓｅｃとしたシャッタ速度と感度とにより露出調整を行う。
【００４５】
また、上述した各実施形態においては、デジタルカメラに適用した場合を示したが、これに限らず、カメラ機能付きパーソナルコンピュータ・ＰＤＡ（個人向け携帯型情報通信機器）・タブレット端末装置・スマートフォンなどの携帯電話機・電子ゲーム・音楽プレイヤーなどであってもよい。
【００４６】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００４７】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
［付記１］
フレームレートを設定するフレームレート設定手段と、
ユーザ操作により任意のシャッタ速度を設定するシャッタ速度設定手段と、
前記フレームレート設定手段により設定されるフレームレートに基づき、前記シャッタ速度設定手段により設定されるシャッタ速度を制御する制御手段と、
前記フレームレート設定手段により設定されるフレームレート、及び前記制御手段の制御により設定されるシャッタ速度で動画撮影を行う撮影手段と、
を備えることを特徴とする撮影装置。
［付記２］
前記制御手段は、前記フレームレート設定手段により設定されるフレームレートに基づいて、前記シャッタ速度設定手段により設定可能なシャッタ速度の範囲を制御する、
ことを特徴とする付記１に記載の撮影装置。
［付記３］
前記制御手段は、前記フレームレート設定手段により設定されるフレームレートによる動画撮影が確保できるシャッタ速度の範囲に、前記シャッタ速度設定手段により設定可能なシャッタ速度の範囲を制限する、
ことを特徴とする付記２に記載の撮影装置。
［付記４］
前記フレームレート設定手段によるフレームレートの設定と、前記シャッタ速度設定手段によるシャッタ速度の設定とを任意の順番で行うことを可能にした、
ことを特徴とする付記１乃至３のいずれかに記載の撮影装置。
［付記５］
前記制御手段は、前記フレームレート設定手段によりフレームレートが設定されている状態で、前記シャッタ速度設定手段によりシャッタ速度を設定する場合に、その設定時において設定可能なシャッタ速度の範囲をユーザが認識可能に設定を制御する、
ことを特徴とする付記２又は３に記載の撮影装置。
［付記６］
前記制御手段により制御される前記シャッタ速度設定手段により設定可能なシャッタ速度の範囲を表示する表示手段を、更に備える、
ことを特徴とする付記２、３又は５に記載の撮影装置。
［付記７］
前記フレームレート設定手段は、ユーザ操作により任意のフレームレートを設定可能である、
ことを特徴とする付記１乃至６のいずれかに記載の撮影装置。
［付記８］
前記制御手段は、前記シャッタ速度設定手段によりシャッタ速度が設定されている状態で、前記フレームレート設定手段によりフレームレートが設定された場合に、その設定されたフレームレートに基づいて、前記シャッタ速度設定手段により設定されたシャッタ速度を、ユーザ操作によらず変更する制御を行う、
ことを特徴とする付記１乃至７のいずれか一項に記載の撮影装置。
［付記９］
前記制御手段は、前記フレームレート設定手段により設定されたフレームレートによる動画撮影が確保できるシャッタ速度に、前記シャッタ速度設定手段により設定されたシャッタ速度を、ユーザ操作によらず変更する制御を行う、
ことを特徴とする付記８に記載の撮影装置。
［付記１０］
前記制御手段による制御により設定されたシャッタ速度に基づき、他の撮影パラメータの設定を制御することで、適切な露出調整を行う露出調整手段を、更に備える、
ことを特徴とする付記１乃至９のいずれか一項に記載の撮影装置。
［付記１１］
前記撮影手段は、前記露出調整手段により適切な露出調整が行えない場合であっても、動画撮影を行う、
ことを特徴とする付記１０に記載の撮影装置。
［付記１２］
フレームレートを設定するフレームレート設定処理手段と、ユーザ操作によるシャッタ速度の設定を可能とするシャッタ速度設定手段と、を備える撮影装置における撮影制御方法であって、
前記フレームレート設定手段により設定されたフレームレートに基づき、前記シャッタ速度設定手段により設定されるシャッタ速度を制御する制御処理と、
前記フレームレート設定手段により設定されるフレームレート、及び前記制御処理の制御により設定されるシャッタ速度で動画撮影を行う撮影処理と、
を含むことを特徴とする撮影制御方法。
［付記１３］
フレームレートを設定するフレームレート設定処理手段と、ユーザ操作によるシャッタ速度の設定を可能とするシャッタ速度設定手段と、を備える撮影装置を制御するコンピュータに、
前記フレームレート設定手段により設定されたフレームレートに基づき、前記シャッタ速度設定手段により設定されるシャッタ速度を制御する制御機能、
前記フレームレート設定手段により設定されるフレームレート、及び前記制御機能の制御により設定されるシャッタ速度で動画撮影を行う撮影機能、
を実現させることを特徴とするプログラム。
【符号の説明】
【００４８】
１  制御部
２  電源部
３  記憶部
３Ａ  プログラムメモリ
３Ｂ  ワークメモリ
３Ｃ  画像メモリ
４  操作部
４Ａ  フレームレート設定変更ボタン
４Ｂ  シャッタ速度設定変更ボタン
５  表示部
６  撮像部
【図１】
2016063461.tif 000003
【図２】
2016063461.tif 000004
【図３】
2016063461.tif 000005
【図４】
2016063461.tif 000006
【図５】
2016063461.tif 000007
【図６】
2016063461.tif 000008
【図７】
2016063461.tif 000009